(57)【特許請求の範囲】
【請求項１】
キッチンのレイアウトタイプが変更可能なキッチン空間チェック装置１のキッチンカウンター７において、該キッチンカウンター７の上部にテーブル部１４を設け、該テーブル部１４に穿設したスリット部に拡張ボード１７を垂直に引き出し可能に収納し、該拡張ボード１７の上端部には、取っ手１７ａを固設し、該取っ手１７ａを把持し拡張ボード１７を上方に引き出し、ダイニング側に９０度回動させることにより、テーブル部１４の上面に載置可能とし、該テーブル部１４の一部のトップ幅を広くし、仮置き台としての機能をチェック可能に構成したことを特徴とするキッチンカウンターサイズチェック装置。
【発明の詳細な説明】
【０００１】
【発明の属する技術分野】
本発明は、住宅を建設予定のユーザーがこれから設計する住宅のキッチン部分を設計するに際して、キッチン設備の実物模型を見ながら、最も適したキッチン各設備のサイズ仕様を決定するのに必要な情報を提供すべく構成したキッチンカウンターサイズチェック装置に関する。
【０００２】
【従来の技術】
従来より、住宅建設においてキッチンに配置する各設備のサイズ仕様については、住宅展示場への出向いたり、既に出来上がった他の家を見学したり、カタログの記載をチェックするなどにより、実際に配置した場合の使用感を想像することで決定していたが、このような方法では必ずしも十分な情報を得ることができなかった。
【０００３】
これを改善するものとして、各種のサイズチェック装置が知られている。
その一つに、キッチン空間を形成する各設備をそれぞれ別体に構成し、それを水平方向に移動することにより、オープンキッチン、クローズドキッチンといった各種レイアウトタイプへの変更が可能なキッチン空間チェック装置がある。
この装置により、ユーザーは、調理空間とダイニング空間とのレイアウトやバランス等が実際に体験できるばかりでなく、それに及ぼす各設備のサイズの効果も同時に確認することができる。
例えば、キッチンカウンターについては、前記キッチン空間チェック装置での引き出し量を変えることにより、その長さを様々に変化させ、使い勝手等に及ぼす影響を体験することが可能である。
【０００４】
【発明が解決しようとする課題】
しかしながら、このような装置は各設備のレイアウトタイプに関する情報提供が主眼であるため、キッチンの使い勝手等への影響が大きな、設備の各部分に関する情報は、ほとんど提供されていなかった。
特に、キッチンカウンター上部のテーブル部は、近年普及の進む対面式キッチンにおいて機能的に重要な役割を持つにもかかわらず、取り上げられること自体が少なかったため、ユーザーニーズに応じた適正サイズ仕様の比較検討が十分にはできない状況にあった。
【０００５】
ここで、対面式キッチンとは、リビング空間やダイニング空間に対面する形で作業するオープンキッチンの一種であり、調理空間とダイニング空間がＴ字状に配置されている。これにより、主婦が調理空間で孤立することなく、ダイニング空間で食卓についている家族と対面し、会話を楽しみながらの作業ができるのである。
【０００６】
従って、調理空間とダイニング空間を仕切る機能を有する前記キッチンカウンターにおけるテーブル部は、前述したような調理空間とダイニング空間との仕切りとしての機能以外に、料理の配膳台あるいは食後の食器類の仮置き台としての機能も有する。
故に、テーブル部のトップ幅の大きさも、高さと同様に、キッチンカウンターの使い勝手を決定するのに極めて大きな要因であるが、それにもかかわらず、従来手段では必要な情報を得にくいという問題があったのである。
【０００７】
本発明は、前記の点に鑑み、キッチンの種々のレイアウトタイプを実体験する中で、キッチンカウンターにおけるテーブル部についても、ユーザー毎に適正なトップ幅の確認を容易に行うことができるキッチンカウンターサイズチェック装置を提供することを目的とする。
【０００８】
【課題を解決するための手段】
本発明の解決しようとする課題は以上の如くであり、次に該課題を解決するための手段を説明する。
キッチンのレイアウトタイプが変更可能なキッチン空間チェック装置１のキッチンカウンター７において、該キッチンカウンター７の上部にテーブル部１４を設け、該テーブル部１４に穿設したスリット部に拡張ボード１７を垂直に引き出し可能に収納し、該拡張ボード１７の上端部には、取っ手１７ａを固設し、該取っ手１７ａを把持し拡張ボード１７を上方に引き出し、ダイニング側に９０度回動させることにより、テーブル部１４の上面に載置可能とし、該テーブル部１４の一部のトップ幅を広くし、仮置き台としての機能をチェック可能に構成したものである。
【０００９】
【発明の実施の形態】
次に本発明の実施の形態を説明する。
図１はキッチン空間チェック装置と、それに組み込んだ本発明のキッチンカウンターサイズチェック装置との全体的な配置を示す平面俯瞰図、
図２は対面式キッチンであるシステムキッチンの前面に、キッチンカウンターのみを引き出した状態のセミオープン対面式タイプの斜視図である。
【００１０】
図３はキッチンカウンターと対面吊戸棚の両方を引き出したセミクローズド対面式タイプの斜視図、
図４はセミクローズド対面式タイプのキッチンカウンターの斜視図、
図５はセミクローズド対面式タイプのキッチンカウンターのテーブル部を上昇させた状態の斜視図である。
【００１１】
図６はセミクローズド対面式タイプのキッチンカウンターの上昇後のテーブル部を、内側のシステムキッチン側から見た場合の斜視図、
図７はセミクローズド対面式タイプのキッチンカウンターのテーブル部に、拡張ボードを載置して、その幅を拡げた状態を示す斜視図、
図８はセミクローズド対面式タイプのキッチンカウンターのテーブル部に載置した拡張ボードを、内側のシステムキッチン側から見た場合の斜視図である。
【００１２】
まず、キッチン空間チェック装置１と、該キッチン空間チェック装置１のキッチンカウンターに組み込まれた本発明のキッチンカウンターサイズチェック装置に関する全体構成を図１に示す。
【００１３】
キッチンカウンター７、９が配置されるキッチン空間チェック装置１には、３組のチェック用のシステムキッチンが配置されている。そのうちのシステムキッチン２は対面式キッチン用であり、システムキッチン３は非対面式キッチン用であり、システムキッチン４は調理空間４ａの空間調節用である。
【００１４】
前記対面式キッチン用のシステムキッチン２の前面には、対面キッチンカウンター７と対面吊戸棚８が、壁に固定された中間壁１８を挟んでその上下に、収納・引出し可能に構成されており、該対面キッチンカウンター７の上部に、本発明のキッチンカウンターサイズチェック装置１３が設けられている。更に、対面キッチンカウンター７の側面には予備カウンター２１が設けられている。なお、調理空間２ａとダイニング空間５とは、この対面キッチンカウンター７を介して対話可能となっている。
【００１５】
また、前記非対面式キッチン用のシステムキッチン３の後面には、キッチンカウンター９と吊戸棚１０と中間壁１１を、水平方向に収納・引出し自在とする空間が構成されている。
ここで、非対面式キッチンとは、調理空間とダイニング空間が一本の線で繋がった方式であり、図１では、調理空間３ａの空間と、ダイニング空間６とが一本のＩ字状に配置されている。この配置が非対面式キッチンであって、従来の一般的なキッチンのレイアウトタイプである。
前記空間調節用のシステムキッチン４の後面には、水平スライドして収納することは不可能であるが、前後に位置を調整可能としたカップボード１２が配置されている。
【００１６】
なお、本実施例では、キッチンカウンターサイズチェック装置１３を対面キッチンカウンター７の上部にのみ設けているが、非対面式のキッチンカウンター９に設けてもよく、本発明の適用は、キッチンのレイアウトタイプには特に限定されない。
【００１７】
次に、本実施例においてキッチンカウンターサイズチェック装置１３を適用した対面式キッチンについて、図２、図３により詳細に説明する。
図２は、対面式キッチン用のシステムキッチン２の前面に、対面キッチンカウンター７のみを引き出した状態のセミオープン対面式タイプを示し、また、図３は、対面キッチンカウンター７と対面吊戸棚８の両方を引き出したセミクローズド対面式タイプを示す。
図から分かるように、両タイプとも、対面キッチンカウンター７上方の空間は、対面状態を保つために中間壁１１で塞がれることなく完全に開放された状態にあり、該対面キッチンカウンター７上方の空間を十分に生かすことが、対面式キッチンではその目的から特に重要である。
従って、対面式キッチンでは、テーブル部１４のサイズ仕様の影響が非常に大きいといえる。
そこで、前記キッチン空間チェック装置１によってセミオープンとセミクローズドの２種のレイアウトタイプを経験する中で、本発明により前記テーブル部１４のサイズ仕様を種々変化させることで、一層実際に即した形での適正なサイズ仕様を確認することができるのである。
【００１８】
次いで、対面キッチンカウンター７のテーブル部１４のトップ高さのチェック装置について、図４、図５により説明する。
対面キッチンカウンター７は、床面に固定された基部１６と該基部１６の上に設けられたキッチンカウンターサイズチェック装置１３から構成され、該キッチンカウンターサイズチェック装置１３は、前記基部１６上部に昇降可能に内装されたスライド部１５と、該スライド部１５上面に固設されたテーブル部１４とから構成される。該テーブル部１４の短辺及びコーナー周辺には狭幅部１４ｂが形成され、該コーナー周辺から離れた長辺の一部には広幅部１４ａが設けられており、該広幅部１４ａにおいては、配膳台等の仮置き台としての機能が発揮できるようになっている。
【００１９】
対面キッチンカウンター７と対面吊戸棚８の間に配設された中間壁１８の側壁で、前記スライド部１５の側壁と摺動する部分には、床面からの高さ目盛り１８ｂが設けられており、該目盛り１８ｂを読み取ることによって、テーブル部１４のトップ高さの床面からの高さを、迅速かつ正確に求めることができるのである。
例えば、洗い場シンク２ｂが手前のダイニング空間５からも一部見える状態でのトップ高さは位置１９ａであり、テーブル部１４を上昇させたため、洗い場シンク２ｂが手前のダイニング空間５からは一切見えなくなる状態になった場合のトップ高さは位置１９ｂである、というように容易にトップ高さが読み取めるようになっている。
【００２０】
このように、テーブル部１４について、使い勝手が良く、しかもレイアウトタイプの目的に合致した適正トップ高さを、ユーザー自身に確認してもらうことにより、ユーザーが十分に納得したキッチンカウンター設備を提供することができるのである。
なお、スライド部１５の上下方向への移動には、本実施例の場合、基部１６内部に設けた油圧等の昇降装置を、図２に示す昇降スイッチ２０の操作により作動させる方法を用いたが、ユーザーの要望に応じ、高さをその場で容易に変更できる方法であれば良く、特に限定されるものではない。
【００２１】
更に、対面キッチンカウンター７のテーブル部１４のトップ幅のチェック装置について、図６乃至図９により説明する。
前述の如く、テーブル部１４は狭幅部１４ｂ、広幅部１４ａとから構成され、配膳台等の仮置き台としての機能についてもチェック可能となっている。
前記広幅部１４ａ上面からスライド部１５にかけて設けられた、図６に図示するスリットには、拡張ボード１７が垂直に引き出し可能に収納され、該拡張ボード１７の上端部には、取っ手１７ａが固設されており、該取っ手１７ａを把持して上方に引き出しダイニング側に９０度回動させることにより、広幅部１４ａ上に前記拡張ボード１７を載置することが可能となっている。
これによって、テーブル部１４の一部のトップ幅を更に広くして、仮置き台としての機能をチャックすることができるのである。
なお、幅の異なる交換可能な複数の拡張ボード１７を準備したり、あるいは、複数の拡張ボード１７を並設してもよく、これらにより種々のトップ幅に関する情報をユーザーに提供することができる。
【００２２】
対面キッチンカウンター７のダイニング空間５側の壁面には、予備カウンター２１が折り畳み自在に取り付けられている。
該予備カウンター２１は配膳時の仮置き台等以外にも、子供の食卓としての利用も可能であり、対面キッチンカウンター７の機能を補い、あるいは、全く別の機能を付加するものとして、対面キッチンカウンター７のサイズ仕様を考える上で重要な検討因子となるものである。
【００２３】
【発明の効果】
本発明は以上の如く構成したので、次のような効果を奏するのである。
請求項１の如く、キッチンのレイアウトタイプが変更可能なキッチン空間チェック装置１のキッチンカウンター７において、該キッチンカウンター７の上部にテーブル部１４を設け、該テーブル部１４に穿設したスリット部に拡張ボード１７を垂直に引き出し可能に収納し、該拡張ボード１７の上端部には、取っ手１７ａを固設し、該取っ手１７ａを把持し拡張ボード１７を上方に引き出し、ダイニング側に９０度回動させることにより、テーブル部１４の上面に載置可能とし、該テーブル部１４の一部のトップ幅を広くし、仮置き台としての機能をチェック可能に構成したので、キッチンカウンターにおけるテーブル部について、ユーザー毎に適正なトップ幅の確認を容易に行うことができるキッチンカウンターサイズチェック装置を提供することが出来たのである。
また、ユーザーに対してキッチンカウンターの幅の設計に必要な情報を提供することができるのである。
また、幅の異なる交換可能な複数の拡張ボード１７を準備したり、あるいは、複数の拡張ボード１７を並設してもよく、これらにより種々のトップ幅に関する情報をユーザーに提供することができる。
【図面の簡単な説明】
【図１】  キッチン空間チェック装置と、それに組み込んだ本発明のキッチンカウンターサイズチェック装置との全体的な配置を示す平面俯瞰図である。
【図２】  対面式キッチンであるシステムキッチンの前面に、キッチンカウンターのみを引き出した状態のセミオープン対面式タイプの斜視図である。
【図３】  キッチンカウンターと対面吊戸棚の両方を引き出したセミクローズド対面式タイプの斜視図である。
【図４】  セミクローズド対面式タイプのキッチンカウンターの斜視図である。
【図５】  セミクローズド対面式タイプのキッチンカウンターのテーブル部を上昇させた状態の斜視図である。
【図６】  セミクローズド対面式タイプのキッチンカウンターの上昇後のテーブル部を、内側のシステムキッチン側から見た場合の斜視図である。
【図７】  セミクローズド対面式タイプのキッチンカウンターのテーブル部に、拡張ボードを載置して、その幅を拡げた状態を示す斜視図である。
【図８】  セミクローズド対面式タイプのキッチンカウンターのテーブル部に載置した拡張ボードを、内側のシステムキッチン側から見た場合の斜視図である。
【符号の説明】
１  キッチン空間チェック装置
７  キッチンカウンター
１３  キッチンカウンターサイズチェック装置
１４  テーブル部
１７  拡張ボード
２１  予備カウンター
【図１】
0003672735.tif 000002
【図２】
0003672735.tif 000003
【図３】
0003672735.tif 000004
【図４】
0003672735.tif 000005
【図５】
0003672735.tif 000006
【図６】
0003672735.tif 000007
【図７】
0003672735.tif 000008
【図８】
0003672735.tif 000009